(57)【要約】【課題】屋外床に敷かれる床材自体に加工を施すことを必要としない、床材の捲れ上がり防止装置を提供すること。【解決手段】床材（２０）の捲れ上がり防止部材（１８）は、屋外床（１０）に取り付けられた風防部材（２６）を含む。この風防部材は、屋外床（１０）から上方へ少なくとも床材の表面（２７）の高さ位置まで伸び、また、床材（２０）から屋外側へ間隔をおいた場所に位置する。【選択図】図１
2014169558.tif 000002
【特許請求の範囲】
【請求項１】
建物の外壁から屋外に張り出す床に敷かれた床材の風による捲れ上がりを防止するための装置であって、
前記床に取り付けられた風防部材を含み、
前記風防部材は、前記床から上方へ少なくとも前記床材の表面の高さ位置まで伸び、また、前記床材から屋外側へ間隔をおいた場所に位置する、捲れ上がり防止装置。
【請求項２】
前記風防部材は、前記床から立ち上がり次いで屋内側に折れ曲がるＬ形の横断面形状を有する板材からなる、請求項１項に記載の捲れ上がり防止装置。
【請求項３】
前記風防部材は前記床に設けられた排水溝に取り付けられている、請求項１又は２に記載の捲れ上がり防止装置
【請求項４】
前記風防部材は前記床の側面に取り付けられている、請求項１又は２に記載の捲れ上がり防止装置。
【発明の詳細な説明】
【技術分野】
【０００１】
本発明は、建物の外壁から屋外に張り出すベランダやバルコニーのような床（屋外床）に敷かれる床材の風による捲れ上がりを防止するための装置に関する。
【背景技術】
【０００２】
集合住宅のような建物の屋外床には、その見栄えや利便性を考えて、床面の全部又は一部を覆う床材が敷かれることがある。しかし、屋外床に敷かれた床材は強風を受けて捲れ上がり、あるいは、さらに、屋外床外に飛散することがある。従来、風による床材の捲れ上がりの予防又は防止のための次のような提案がなされている。
【０００３】
すなわち、床材の側面を板で覆い、これにより床材の内部への風の入り込みを防止する（後記特許文献１参照）、床材を建物の壁面にロープでつなぐ（後記特許文献２参照）、床材の表裏面に風を通すための通気口を設ける（後記特許文献３参照）等の提案がなされている。
【０００４】
ところで、これらの提案は、いずれも、床材自体に加工を施すことに向けられている。しかし、これには、床材に適用可能の設計上又はデザイン上の展開あるいは選択を制限するという難点がある。
【先行技術文献】
【特許文献】
【０００５】
【特許文献１】特開平１１−３４３７２２号公報
【特許文献２】特開２００１−３４９０４２号公報
【特許文献３】特開平１１−２１０２０７号公報
【発明の概要】
【発明が解決しようとする課題】
【０００６】
したがって、本発明は、屋外床に敷かれる床材自体に加工を施すことを必要としない、床材の捲れ上がり防止装置を提供することにある
【課題を解決するための手段】
【０００７】
本発明は、建物の外壁から屋外に張り出す床（屋外床）に敷かれた床材の風による捲れ上がりを防止するための装置に係り、前記床材に対する風防部材を含む。前記風防部材は、前記床から上方へ少なくとも前記床材の表面の高さ位置まで伸び、また、前記床材から屋外側へ間隔をおいた場所に位置する。
【０００８】
本発明によれば、前記風防部材が前記屋外床から上方へ少なくとも前記床材の表面の高さ位置まで伸びることから、前記床材に対する風の直撃が回避され、これにより前記風により前記床材の表面及び裏面にそれぞれ作用する負圧及び正圧の大きさを低減し、これにより前記床材に作用する揚力の大きさを低減することができる。また、風が前記風防部材を乗り越えるときに該風防部材上において最も高い負圧の状態になるところ、前記床材と前記風防部材との間に設けられた間隔は、前記最大負圧の風の前記床材に対する作用の回避に寄与する。また、前記風防部材からその風下に間隔を置かれた前記床材に対して、風は、全体として、前記床材に対してこれを床面に押し付ける作用をなす。したがって、本発明においては、前記床材の風による捲れ上がりを防止するのに、床材に加工を施すことを要しない。
【０００９】
前記風防部材は、例えば、前記床から立ち上がり次いで屋内側に折れ曲がるＬ形の横断面形状を有する板材からなるものとすることができる。また、前記風防部材は、前記屋外床に敷かれる床材の大きさ等に応じて、前記屋外床に設けられた排水溝又は前記床の側面に取り付けることができる。
【図面の簡単な説明】
【００１０】
【図１】屋外床の排水溝に取り付けられた風防部材の一例を示す側面図である。
【図２】屋外床の排水溝に取り付けられた風防部材の他の一例を示す側面図である。
【図３】屋外床の排水溝に他の態様で取り付けられた風防部材の一例を示す側面図である。
【図４】屋外床の排水溝に他の態様で取り付けられた風防部材の他の一例を示す側面図である。
【図５】屋外床の側面に取り付けられた風防部材の一例を示す側面図である。
【図６】屋外床の側面に取り付けられた風防部材の他の一例を示す側面図である。
【図７】風洞実験に供された、風防部材が存在しない場合における床材の側面図である。
【図８】風洞実験に供された風防部材及び床材の側面図である。
【図９】図７及び図８に示す床材の平面図である。
【図１０】（ａ）及び（ｂ）は、それぞれ、図７に示す風防部材が存在しない場合について行った風洞実験の結果を示す数値及びグラフを示す。
【図１１】（ａ）及び（ｂ）は、それぞれ、図８に示す風防部材が存在する場合について行った風洞実験の結果を示す数値及びグラフを示す。
【図１２】（ａ）、（ｂ）及び（ｃ）は、それぞれ、コンピュータ・シミュレーションによる風圧係数分布図を求めるために用いられた風防部材の一例を示す側面図、平面図及び得られた風圧係数分布図である。
【図１３】（ａ）、（ｂ）及び（ｃ）は、それぞれ、コンピュータ・シミュレーションによる風圧係数分布図を求めるために用いられた風防部材の他の一例を示す側面図、平面図及び得られた風圧係数分布図である。
【発明を実施するための形態】
【００１１】
図１を参照すると、集合住宅のような建物（図示せず）に設けられ該建物の外壁（図示せず）から屋外に張り出すベランダやバルコニーのような床（屋外床）１０の一部が示されている。屋外床１０は床面１２と、該床面に連なりかつ屋外に面する側面１３とを有する。屋外床１０の床面１２には、側面１３に沿って前記建物の外壁と平行に伸びる、手摺１４（図の簡略化のために二点鎖線で示す。）と床面１２に開放する排水溝１６とが設けられている。
【００１２】
屋外床１０には、その床面１２上に敷かれる任意の床材が、前記建物の外壁に向けて吹き付ける風Ｗを受けて捲れ上がることを防止するための装置１８が配置されている。
【００１３】
図１ないし図６に前記床材の一例が示されている。図示の床材２０は、矩形の平面形状を有する板状の本体２２と、該本体を床面１２上に支持する複数の偏平な座２４とからなる。図示の例では、床材２０は、床面１２上に、前記矩形の長辺を規定する本体２２の側面２５が前記建物の外壁と平行に伸びるように配置されている。
【００１４】
捲れ上がり防止装置１８は屋外床１０に取り付けられた風防部材２６を含む。風防部材２６は、床材２０から屋外側に（したがって、床材２０の風上側に）間隔ｄを置かれており、また、屋外床１０から上方へ床面１２上の床材２０の表面２７の高さ位置まで伸びる高さ寸法ｈを有する。
【００１５】
風防部材２６について、これを床材２０の風上に置き、また、その高さ寸法ｈを、風防部材２６の設置面である床面１２から床材２０の表面２７までの距離に等しい値に設定することにより、風防部材２６は床材２０に対する風防機能を発揮し、床材２０に対する風Ｗの直撃を防止し又は緩和する。その結果、風Ｗにより床材２０の表面及び裏面にそれぞれ作用する負圧及び正圧の大きさが低減され、これにより床材２０に作用する揚力の大きさが低減される。なお、高さ寸法ｈは、風防部材２６の設置面から床材２０の表面２７までの前記距離の値より大きい値に設定することを妨げない。
【００１６】
また、風Ｗは風防部材２６を乗り越えるときに該風防部材上において最も高い負圧の状態になる。床材２０と風防部材２６との間に設けられた間隔ｄは、前記最大負圧の風Ｗの床材２０に対する作用の回避に寄与する。また、風防部材２６からその風下に間隔ｄを置かれた床材２０に対して、風Ｗは、風洞実験から得られた結果を示す図１１（ａ）及び図１１（ｂ）に示されているように、全体として、床材２０に対してこれを床面１２に押し付ける作用をなす。間隔ｄの値は、屋外床１０の形状、大きさ等、床材２０の形状、大きさ、重量等を考慮して定めることができる。
【００１７】
風防部材２６は、図示の例におけるように、床材２０の側面２５の伸長方向（図１において紙背方向）における長さ寸法と同じ長さ寸法を有し、かつ、その全長において床材２０の側面２５の全長に相対する一つの部材からなるものが最も好ましい。ただし、風防部材２６は、床材２０の捲れ上がり防止効果が図示の例に劣るが、断続する複数の部材からなるもの、あるいは床材２０の側面２５の全長より短い１つの部材からなるものとすることを妨げない。
【００１８】
風防部材２６は、例えば、図１、図３及び図５にそれぞれ示すように、屋外床１０、より詳細にはその床面１２から立ち上がり次いで屋内側に折れ曲がるＬ形の横断面形状を有する板材からなるもの、あるいは図２、図４及び図６にそれぞれ示すように、床面から垂直に立ち上がる直立の平板からなるものとすることができる。風防部材２６は、図示の例のほかに、例えばＨ形、Ｉ形、Ｃ形等の横断面形状を有する板材からなるもの、矩形の横断面形状を有する棒材からなるもの等とすることができる。
【００１９】
図１、図３及び図５に示すＬ形の横断面形状を有する風防部材２６は、図１及び図３に示す例においては排水溝１６に配置され、また、図５に示す例においては側面１２に配置されている。Ｌ形断面の風防部材２６は床面１２から立ち上がる垂直板部２８と、該垂直板部から屋内側へ水平に伸びる水平板部３０とを有する。ここにおいて、垂直板部２８は、図１及び図３に示す例では床面１２の一部をなす排水溝１６の底面３２から上方へ伸び、図５図に示す例では床面１２の一部をなす屋外床１０の屋外側先端（より詳細には、床面１２と側面１３との交差場所）から上方へ伸びている。また、床材２０に向けて伸びる水平板部３０の先端は、床材２０との間に前記間隔ｄを規定する。
【００２０】
図１に示す風防部材２６は、垂直板部２８の下端に連なるＬ形断面の板部３４を有する。風防部材２６はその垂直板部２８の一部とＬ形板部３４とにおいてはいす１６にきつく嵌合され、これにより屋外床１０に取り付けられている。
【００２１】
図３に示す風防部材２６は、垂直板部２８にその長さ方向におけるほぼ中間で連なるＬ形断面の板部３６を有する。風防部材２６は、その垂直板部２８の一部とＬ形板部３６とによる屋外床１０の一部（側面１２と排水溝１６の側壁との間の部分）の把持により、屋外床１０に取り付けられている。
【００２２】
また、図５に示す風防部材２６は、垂直板部２８の一端に連なる逆Ｕ字形の板部３８を有する。風防部材２６は、板部３８による排水溝１６の側壁と側面１２との把持により、屋外床１０に取り付けられている。
【００２３】
さらに、図２、図４及び図６にそれぞれ示す風防部材２６をなす前記直立平板は、図１、図３及び図５に示す山形の風防部材２６から水平板部３０を除いてなるものすなわち垂直板部材２８と同様の構成であり、また、前記平板の屋外床１０に対する取り付け構造も、図１、図３及び図５に示す例におけると同様である。したがって、図２、図４及び図６に示す例については、それぞれ、図１、図３及び図５に付した符号と同じ符号を付してその詳細な説明を省略する。
【００２４】
次に、本発明の技術的効果を確認するため、風防部材２６が無い場合（図７）と、風防部材２６が有る場合（図８）とについて風洞実験を行った。
【００２５】
両風洞実験に使用した風防部材２６は矩形の横断面形状を有する棒材からなる。また、両風洞実験に使用した床材２０は、全体に矩形の平面形状（横１，２６０ｍｍ×縦１，８７６ｍｍ）を有する（図９参照）。床材２０は、その表裏面を規定する、互いに接して配置された複数の細幅（１２０ｍｍ）の板５０と、その四方の側面のうちの２つの長い側面を規定する根太５１と１つの短い側面を規定する幕板５２と、各根太５１の下面に配置されたゴム製の偏平な座５４とを有する。床材２０の残りの短い側面５６は、風Ｗを発する送風源（図示せず）に向けて開放している。風防部材２６は床材２０の短い側面５６と同じ長さ寸法を有し、１０００ｍｍの間隔を置いて側面５６に対向している。また、風防部材２６の頂面の高さ位置は床材２０の表面の高さ位置と同位（これらの設置面Ｅから上方に８５ｍｍの距離）にある。
【００２６】
図９を参照すると、床材２０の表面上、より詳細には複数の板５０のそれぞれの表裏の各面に風圧測定のための１対のセンサ５８（点で示されている全部で１６対のセンサ５８）が配置されている。これらのセンサ５８の配置位置を指示するために括弧で括られた数字１〜１６が付されている。
【００２７】
図１０（ａ）及び図１０（ｂ）に、それぞれ、風防部材２６が無い場合における風洞実験の結果が数値とグラフとで示されている。これに対し、図１１（ａ）及び図１１（ｂ）は、それぞれ、風防部材２６が有る場合における風洞実験の結果が数値とグラフとで示されている。風洞実験の結果は、外圧係数（床材２０表面に作用する風圧係数）と、内圧係数（床材２０裏面、すなわち板５０の裏面に作用する風圧係数）と、風力係数（外圧係数−内圧係数）とで示されている。なお、各グラフ上の各係数についての１６個のプロットは、センサ５８の配置位置（１〜１６）すなわち測定点に対応する。
【００２８】
前記風洞実験の結果によれば、風防部材２６が無い場合には、風力係数が、全ての測定点１〜１６において、負の値をとる。これは、床材２０に対して揚力が作用していることを示す。これに対し、風防部材２６が存する場合、風力係数が測定点１〜１６の大部分において正の値を示している。これは、床材２０に作用する力が、揚力よりも床に向けての押し付け力が勝っていることを示す。
【００２９】
次に、図１に示す形状（断面Ｌ形状）を有する風防部材２６に対して、風Ｗを、図上において左方から吹き付けたとき（図１２（ａ）及び図１２（ｂ））に得られるコンピュータ・シミュレーションによる風圧分布図と、図２に示す形状（直立平板状）を有する風防部材２６対して、風Ｗを、図上において左方から吹き付けたとき（図１３（ａ）及び図１３（ｂ））に得られるコンピュータ・シミュレーションによる風圧分布図とを、それぞれ、図１２（ｃ）と図１３（ｃ）とに示す。
【００３０】
前記コンピュータ・シミュレーションにおいて設定された断面Ｌ形の風防部材２６及び直立平板からなる風防部材２６の高さ寸法は、それぞれ、図１２（ａ）及び図１３（ａ）に示すように１００ｍｍである。また、長さ寸法は、それぞれ、図１２（ｂ）及び図１３（ｂ）に示すように１，０００ｍｍである。前記風圧分布図を作成するための風圧測定点は、図１２（ｂ）及び図１３（ｂ）にそれぞれ示す一点鎖線上にある。
【００３１】
図１２（ｃ）及び図１３（ｃ）に示された風力分布図によれば、直立平板からなる風防部材２６が、断面Ｌ形の風防部材２６とほぼ同様の風力分布を示すことが分かる。
【符号の説明】
【００３２】
１０  床（屋外床）
１６  排水溝
１８  捲れ上がり防止装置
２０  床材
２６  風防部材
２７  床材の表面
【図１】
2014169558.tif 000003
【図２】
2014169558.tif 000004
【図３】
2014169558.tif 000005
【図４】
2014169558.tif 000006
【図５】
2014169558.tif 000007
【図６】
2014169558.tif 000008
【図７】
2014169558.tif 000009
【図８】
2014169558.tif 000010
【図９】
2014169558.tif 000011
【図１０】
2014169558.tif 000012
【図１１】
2014169558.tif 000013
【図１２】
2014169558.tif 000014
【図１３】
2014169558.tif 000015